(57)【要約】【課題】ステップズーム方式の撮影装置において、搭載されるズームレンズ鏡胴に特別な構成を用いることなく、各ステップの焦点距離の設定に自由度をもたせることができるようにするとともに、焦点距離の設定可能な範囲を拡大できるようにする。【解決手段】本発明に係るカメラによれば、ＣＰＵは、鏡胴駆動モータの回転に応じて発生するパルスを、最もテレ側においては１回、他の位置においては２回検知すると、鏡胴駆動モータの回転を停止させ、対応する焦点距離の位置に前群レンズ及び後群レンズを停止させる。また、最長焦点距離におけるフォーカシングを、前群レンズ及び後群レンズを繰り込み方向に移動させて行う。【選択図】　図４
2004029555.tif 000002
【特許請求の範囲】
【請求項１】
複数のレンズ群と、前記レンズ群をズーム線上に移動させて焦点距離の切替えを行うレンズ移動手段と、所定周期でパルスを発生させるパルス発生手段と、前記所定周期で発生するパルスのうち、前記レンズ群を停止させるためのパルスを選択するパルス選択手段と、前記選択されたパルスに対応付けて前記レンズ群を停止させるレンズ停止手段と、前記レンズ群が停止した焦点距離から前記レンズ群を光軸方向へ移動させてフォーカシングを行うフォーカシング手段と、を備えた撮影装置において、
前記パルス選択手段は、ワイドからテレの焦点距離間において、前記レンズ停止手段が前記レンズ群を停止させる位置の間隔が他と異なるところを少なくとも１箇所は設けるように、前記レンズ群を停止させるためのパルスを選択することを特徴とする撮影装置。
【請求項２】
前記パルス選択手段は、ワイドからテレの焦点距離間において、前記レンズ停止手段により前記レンズ群を停止させるために選択するパルスの間隔が、Ｔ秒と、Ｎ×Ｔ秒の少なくとも２種類になるように、前記レンズ群を停止させるためのパルスを選択することを特徴とする請求項１記載の撮影装置。
【請求項３】
前記パルス選択手段は、ワイドからテレの焦点距離間において、前記レンズ停止手段が前記レンズ群を停止させる位置の間隔が他と異なるところをテレ側に設けるように、前記レンズ群を停止させるためのパルスを選択することを特徴とする請求項１又は２記載の撮影装置。
【請求項４】
前記パルス選択手段は、ワイドからテレの焦点距離間において、前記レンズ停止手段が前記レンズ群を停止させる位置の間隔が他と異なるところを最もテレ側に設けるように、前記レンズ群を停止させるためのパルスを選択することを特徴とする請求項３記載の撮影装置。
【請求項５】
前記パルス選択手段は、ワイドからテレの焦点距離間において、前記レンズ停止手段が前記レンズ群を停止させる位置の間隔が他と異なるところをワイド側に設けるように、前記レンズ群を停止させるためのパルスを選択することを特徴とする請求項１又は２記載の撮影装置。
【請求項６】
複数のレンズ群と、前記レンズ群をズーム線上に移動させて焦点距離の切替えを行うレンズ移動手段と、所定周期でパルスを発生させるパルス発生手段と、前記所定周期で発生するパルスのうち、前記レンズ群を停止させるためのパルスを選択するパルス選択手段と、前記選択されたパルスに対応付けて前記レンズ群を停止させるレンズ停止手段と、前記レンズ群が停止した焦点距離から前記レンズ群を光軸方向へ移動させてフォーカシングを行うフォーカシング手段と、を備えた撮影装置において、
前記パルス選択手段は、ワイドからテレの焦点距離間において、前記レンズ停止手段により前記レンズ群を停止させるために選択するパルスの間隔が、Ｔ秒と、Ｎ×Ｔ秒の少なくとも２種類になるように前記レンズ群を停止させるためのパルスを選択することを特徴とする撮影装置。
【請求項７】
複数のレンズ群と、前記レンズ群をズーム線上に移動させて焦点距離の切替えを行うレンズ移動手段と、所定周期でパルスを発生させるパルス発生手段と、前記パルスに対応付けて前記レンズ群を停止させるレンズ停止手段と、前記レンズ群が停止した焦点距離から前記レンズ群を光軸方向へ移動させて前記停止した焦点距離におけるフォーカシングを行うフォーカシング手段と、を備えた撮影装置において、
前記フォーカシング手段は、少なくとも１つの焦点距離において、前記レンズ群を、他の焦点距離におけるフォーカシング時と光軸方向を逆向きに移動させてフォーカシングを行うことを特徴とする撮影装置。
【請求項８】
前記フォーカシング手段は、最もテレ側の焦点距離において、前記レンズ群を、他の焦点距離におけるフォーカシング時と光軸方向を逆向きに移動させてフォーカシングを行うことを特徴とする請求項７記載の撮影装置。
【発明の詳細な説明】
【０００１】
【発明の属する技術分野】
本発明は、ステップズーム方式の撮影装置に関する。
【０００２】
【従来の技術】
近年、撮影レンズにズームレンズを用いた銀塩カメラ及びデジタルカメラ等の撮影装置が一般的になっている。ズームレンズは、焦点距離、即ち撮影倍率を変化させるレンズであり、撮影装置では、ズームレンズ鏡胴を前後に繰り出したり繰り込ませたりすることによりズームレンズを前後に移動させ、焦点距離を変化させている。
【０００３】
ズームレンズ鏡胴については、各種提案されているが、例えば、本出願人による特願平５−１０４４５６号公報、特開平８−９４９０７号公報に記載されたように、焦点距離の変化即ちズーミングと、焦点調節即ちフォーカシングとを同一の機構で行うことが可能なズームレンズ鏡胴がある。これらのズームレンズ鏡胴は、最も長い焦点距離と最も短い焦点距離との間を所定数のステップに区切った、所謂ステップズーム方式である。
【０００４】
このステップズーム方式の撮影装置の一例について、図７（ａ）のズーム線図を参照して説明する。図７（ａ）において、横軸は、焦点距離を示す。この撮影装置において、ズーミング操作により設定可能な焦点距離は、予め５つの距離に定められており、Ｗは最も焦点距離が短い状態を示し、Ｍ１、Ｍ２と逐次焦点距離が長くなり、Ｔで最も焦点距離が長くなる。このように、ズーミングにおいて、焦点距離を５つのステップに切り替えることができる。縦軸は、ズームレンズの前群（ＦＣ）と後群（ＲＣ）との光軸方向への移動量を示す。前群は、回動するカム筒とヘリコイド螺合しているので、鏡枠の回動と共に光軸方向に直線的な移動を行う。一方、後群は、カム筒にレンズ群を移動させる案内部として刻まれたカムにより駆動され、撮影距離が「∞」即ち無限遠の焦点位置と、撮影距離が「近」即ち至近距離の焦点位置との間を山形の形状を繰り返して移動するようにカムが形成されている。例えば、焦点距離がＷの位置に設定されたとき、撮影距離に応じてＷとＭ１の間で前群と後群が移動してフォーカシングを行う。
【０００５】
図７（ａ）において、焦点距離はカム筒の回動による前群と後群の移動により変化する。また、カム筒は、モータにより回転させる。そして、カム筒を回動させるモータの駆動により回転するギアのシャフトに取り付けられたプロペラの回転周期をフォトインタラプタが検知してパルスを発生し、制御部により発生したパルスに対応付けてモータを停止させることで、各ステップ毎の所定の位置、例えば、図７（ａ）のＷ〜Ｔの５ステップの焦点距離となる位置で前群と後群が停止するように制御されている。
【０００６】
図７（ｂ）は、パルスの発生周期を示す図である。図７（ｂ）に示すように、パルスの発生周期と、焦点距離のステップＷ、Ｍ１、Ｍ２、Ｍ３、Ｔは対応している。即ち、パルスの発生周期によって各ステップ毎の前群及び後群のズーム停止位置が定められている。前群及び後群は、ズーム停止位置で停止後、フォーカシングのための移動を行う。例えば、図７（ａ）のＷの位置で一旦停止した前群及び後群をＭ１方向へ移動させることで、撮影距離が無限遠方向に対応するフォーカシングから至近距離方向に対応するフォーカシングに変化させることができる。
【０００７】
【発明が解決しようとする課題】
ところで、ＯＥＭやバリエーション販売等で、焦点距離設定が異なる撮影装置を製造する場合、ズームレンズ鏡胴を、各ズームステップの焦点距離設定に自由度をもたせた設計にすれば、大きなメカ的変更を行わずに同じズームレンズ鏡胴部品を用いて、各種撮影装置の焦点距離設定に対応するズームレンズ鏡胴が製造でき、撮影装置の製造工程の簡素化やコストの削減につながる。
【０００８】
しかしながら、上記説明したズームレンズ鏡胴では、プロペラの回転周期毎にパルスを発生させ、パルスに対応した位置に各ズームステップの焦点距離が設定されていた。そのため、焦点距離はパルスの発生周期である一定間隔毎に設定されていた。
【０００９】
上記構成によらずパターン基板と摺動接片を用いて検知することで、任意の位置に焦点距離を設定可能な方法もあるが、基板位置精度や、接触式であることによる振動やゴミ等によるノイズの影響が懸念された。
【００１０】
また、上記説明したズームレンズ鏡胴では、フォーカシングの領域を確保する必要上、最長の焦点距離の設定が制約されていた。
【００１１】
本発明の課題は、ステップズーム方式の撮影装置において、搭載されるズームレンズ鏡胴に特別な構成を用いることなく、各ステップの焦点距離の設定に自由度をもたせることができるようにするとともに、焦点距離の設定可能な範囲を拡大できるようにすることである。
【００１２】
【課題を解決するための手段】
上記課題を解決するため、請求項１記載の発明は、
複数のレンズ群と、前記レンズ群をズーム線上に移動させて焦点距離の切替えを行うレンズ移動手段と、所定周期でパルスを発生させるパルス発生手段と、前記所定周期で発生するパルスのうち、前記レンズ群を停止させるためのパルスを選択するパルス選択手段と、前記選択されたパルスに対応付けて前記レンズ群を停止させるレンズ停止手段と、前記レンズ群が停止した焦点距離から前記レンズ群を光軸方向へ移動させてフォーカシングを行うフォーカシング手段と、を備えた撮影装置において、
前記パルス選択手段は、ワイドからテレの焦点距離間において、前記レンズ停止手段が前記レンズ群を停止させる位置の間隔が他と異なるところを少なくとも１箇所は設けるように、前記レンズ群を停止させるためのパルスを選択することを特徴としている。
【００１３】
請求項１記載の発明によれば、ズーム線上に複数のレンズ群を移動させ、レンズ群を停止させるためのパルスを検知することによりレンズ群を停止させて焦点距離の切替え（ズーミング）を行い、レンズ群が停止した位置からレンズ群を光軸方向に移動させてフォーカシングを行う、ステップズーム方式の撮影装置において、ワイドからテレの焦点距離間において、レンズ群を停止させる位置の間隔が他と異なるところを少なくとも１箇所は設けるように、レンズ群を停止させるためのパルスを選択する。従って、焦点距離を一定間隔以外の位置にも設定できるようになり、焦点距離設定に自由度をもたせることができる。その結果、大きなメカ的変更を行わずに、同じズームレンズ鏡胴部品を用いて、各種撮影装置の焦点距離設定に対応するズームレンズ鏡胴を製造することができ、撮影装置の製造工程の簡素化やコストの削減につながる。
【００１４】
請求項２記載の発明は、請求項１記載の発明において、
前記パルス選択手段は、ワイドからテレの焦点距離間において、前記レンズ停止手段により前記レンズ群を停止させるために選択するパルスの間隔が、Ｔ秒と、Ｎ×Ｔ秒の少なくとも２種類になるように、前記レンズ群を停止させるためのパルスを選択することを特徴としている。
【００１５】
請求項２記載の発明によれば、ワイドからテレの焦点距離間において、レンズ群を停止させるために選択するパルスの間隔が、Ｔ秒と、Ｎ×Ｔ秒の少なくとも２種類になるように、レンズ群を停止させるためのパルスを選択する。従って、焦点距離設定に自由度をもたせることができる。
【００１６】
請求項３記載の発明は、請求項１又は２記載の発明において、
前記パルス選択手段は、ワイドからテレの焦点距離間において、前記レンズ停止手段が前記レンズ群を停止させる位置の間隔が他と異なるところをテレ側に設けるように、前記レンズ群を停止させるためのパルスを選択することを特徴としている。
【００１７】
請求項３記載の発明によれば、ワイドからテレの焦点距離間において、レンズ群を停止させる位置の間隔が他と異なるところをテレ側に設けるようにレンズ群を停止させるためのパルスを選択する。従って、テレ側の焦点距離設定に自由度をもたせることができる。
【００１８】
請求項４記載の発明は、請求項３記載の発明において、
前記パルス選択手段は、ワイドからテレの焦点距離間において、前記レンズ停止手段が前記レンズ群を停止させる位置の間隔が他と異なるところを最もテレ側に設けるように、前記レンズ群を停止させるためのパルスを選択することを特徴としている。
【００１９】
請求項４記載の発明によれば、ワイドからテレの焦点距離間において、レンズ群を停止させる位置の間隔が他と異なるところを最もテレ側に設けるようにレンズ群を停止させるためのパルスを選択する。従って、従来の最もテレ側の停止位置から、更にテレ側の位置にレンズ群を停止させることが、最もテレ側において他の停止位置の間隔よりも短い間隔でレンズ群を停止させることにより可能となると同時に、フォーカシングの領域も確保することができるので、同じズームレンズ鏡胴を用いた場合に、従来より最長の焦点距離を延長することができるようになる。
【００２０】
請求項５記載の発明は、請求項１又は２記載の発明において、
前記パルス選択手段は、ワイドからテレの焦点距離間において、前記レンズ停止手段が前記レンズ群を停止させる位置の間隔が他と異なるところをワイド側に設けるように、前記レンズ群を停止させるためのパルスを選択することを特徴としている。
【００２１】
請求項５記載の発明によれば、ワイドからテレの焦点距離間において、レンズ群を停止させる位置の間隔が他と異なるところをワイド側に設けるようにレンズ群を停止させるためのパルスを選択する。従って、例えば、ワイド側において、他の停止位置の間隔よりも短い間隔でレンズ群を停止させることにより、各ズームステップ毎の見かけ上の変倍を略均一にすることができる。
【００２２】
請求項６記載の発明は、
複数のレンズ群と、前記レンズ群をズーム線上に移動させて焦点距離の切替えを行うレンズ移動手段と、所定周期でパルスを発生させるパルス発生手段と、前記所定周期で発生するパルスのうち、前記レンズ群を停止させるためのパルスを選択するパルス選択手段と、前記選択されたパルスに対応付けて前記レンズ群を停止させるレンズ停止手段と、前記レンズ群が停止した焦点距離から前記レンズ群を光軸方向へ移動させてフォーカシングを行うフォーカシング手段と、を備えた撮影装置において、
前記パルス選択手段は、ワイドからテレの焦点距離間において、前記レンズ停止手段により前記レンズ群を停止させるために選択するパルスの間隔が、Ｔ秒と、Ｎ×Ｔ秒の少なくとも２種類になるように前記レンズ群を停止させるためのパルスを選択することを特徴としている。
【００２３】
請求項６記載の発明によれば、ズーム線上に複数のレンズ群を移動させ、レンズ群を停止させるためのパルスを検知することによりレンズ群を停止させて焦点距離の切替え（ズーミング）を行い、レンズ群が停止した位置からレンズ群を光軸方向に移動させてフォーカシングを行う、ステップズーム方式の撮影装置において、ワイドからテレの焦点距離間において、レンズ群を停止させるために選択するパルスの間隔が、Ｔ秒と、Ｎ×Ｔ秒の少なくとも２種類になるように、パルスを選択する。従って、焦点距離設定に自由度をもたせることができるので、撮影装置の設計の自由度が増大し、同じズームレンズ鏡胴を用いて、様々なバリエーションの撮影装置を提供できるようになる。
【００２４】
請求項７記載の発明は、
複数のレンズ群と、前記レンズ群をズーム線上に移動させて焦点距離の切替えを行うレンズ移動手段と、所定周期でパルスを発生させるパルス発生手段と、前記パルスに対応付けて前記レンズ群を停止させるレンズ停止手段と、前記レンズ群が停止した焦点距離から前記レンズ群を光軸方向へ移動させて前記停止した焦点距離におけるフォーカシングを行うフォーカシング手段と、を備えた撮影装置において、
前記フォーカシング手段は、少なくとも１つの焦点距離において、前記レンズ群を、他の焦点距離におけるフォーカシング時と光軸方向を逆向きに移動させてフォーカシングを行うことを特徴としている。
【００２５】
請求項７記載の発明によれば、ズーム線上に複数のレンズ群を移動させてズーミングを行い、パルスの発生周期に対応づけて前記レンズ群を停止させる、ズームフォーカス駆動一体型の、ステップズーム方式の撮影装置におけるフォーカシングにおいて、少なくとも１つの焦点距離においてレンズ群を他の焦点距離におけるフォーカシング時と光軸方向逆向きに移動させてフォーカシングを行う。従って、撮影距離によっては、フォーカシングの時間を短縮することや、フォーカシングによる倍率の変動を小さくすることができる。
【００２６】
請求項８記載の発明は、請求項７記載の発明において、
前記フォーカシング手段は、最もテレ側の焦点距離において、前記レンズ群を、他の焦点距離におけるフォーカシング時と光軸方向を逆向きに移動させてフォーカシングを行うことを特徴としている。
【００２７】
請求項８記載の発明によれば、最もテレ側の焦点距離において、前記レンズ群を、他の焦点距離におけるフォーカシング時と光軸方向を逆向きに移動させてフォーカシングを行う。従って、最もテレ側におけるフォーカシングのための領域を確保する必要がなくなり、最長の焦点距離を延長することができる。
【００２８】
【発明の実施の形態】
〔第１の実施の形態〕
以下、図を参照して本発明の第１の実施の形態について詳細に説明する。
まず、構成を説明する。
【００２９】
図１は、本発明に係るカメラ１００を概略して示す外観図である。図１に示す様に、カメラ１００は、ズーム釦１００ａ、ズーム釦１００ｂ、レリーズ釦１００ｃ、及びズームレンズ鏡胴１０を備えて構成されている。
【００３０】
図２は、本発明のズームレンズ鏡胴１０の分解斜視図である。１は、カメラ本体と一体的に固定された固定胴であり、内周にメスヘリコイド１ａを螺設しており、メスヘリコイド１ａの左右側部には後述する直進ガイド２１のためのガイド溝１ｂがメスヘリコイド１ａを横切って設けられている。
【００３１】
２はカム筒であり、外周にメスヘリコイド１ａと螺合するオスヘリコイド２ａと、大歯車２ｂとが形成され、内周にメスヘリコイド２ｃとインナーカムであるカム溝２ｄが形成され、後端部の内方向に図示しないリブ２ｅを設けてある。また、大歯車２ｂの歯先円はオスヘリコイド２ａの谷径より小さく形成されており、鏡胴の小型化に寄与している。なお、大歯車２ｂはカム筒２の後端面に配置し、カム筒２と大歯車２ｂを樹脂で一体成形すると、成形型を分割して成形するのではなく、型の抜き方向に一体の型で成形できるため、精度の高い部品が簡単な型構造で製造できる。
【００３２】
３は、前群摺動枠であり、正の合成焦点距離の前群レンズ５を保持する前群鏡枠４を前方からねじにより取り付けている。レンズ系部品の製造寸法誤差は、このネジ部分の取り付け位置を変更し行う。前群摺動枠３の外周にはメスヘリコイド２ｃと螺合するオスヘリコイド３ａと後述する直進ガイド２１のためのガイド溝３ｂとを設け、後述するガイドシャフト１１のための穴３ｃを穿設している。６は、後群摺動枠であり、内周にて負の合成焦点距離の後群レンズ７を保持し、外周に後述する直進ガイド２１のためのガイド溝６ａを設けると共に、カム溝２ｄと係合する後群カムピン８を埋設し、前方にガイドシャフト１１を突設している。
【００３３】
１３は、ガイドシャフト１１に挿入されるシャフトバネ、１２はシャフトバネ１３の抜け防止のためのＥ型止め輪である。２１は直進ガイドで、左右の突出部２１ａにて固定胴１のガイド溝１ｂと滑合し、もう１つの突出部２１ｂで後述する駆動歯車４４を回転自在に軸支し、前方に折り曲げられた腕部２１ｃにてガイド溝３ｂ及びガイド溝６ａと滑合する。
【００３４】
３１は、鏡胴駆動モータであり、そのシャフト３２にはプロペラ３３が取り付けられ、フォトインタラプタ３４によりカム筒の回転量に対応する前群レンズ５及び後群レンズ７の移動量を示す連続的なパルスを発生する。３５はモータに直結したピニオンであり、鏡胴駆動モータ３１の回転は第１歯車３６、第２歯車３７、第３歯車３８、第４歯車４２により、光軸方向に長い歯車を設けた第５歯車４３に伝達され、更に駆動歯車４４に伝達される。駆動歯車４４はカム筒２の大歯車２ｂと歯合している。第３歯車３８のシャフト３９には１８０度間隔で２枚の羽を有するプロペラ４０が取り付けられ、フォトインタラプタ４１は、本発明のパルス発生手段としての機能を有し、プロペラ４０の羽の回転を検知することで、前群レンズ５及び後群レンズ７の移動量を示す断続的なパルスを発生する。このパルス間隔は、フォトインタラプタ３４により発生するパルス間隔より広くなるように設定されている。
【００３５】
次に、カメラ１００の基本動作について説明する。
ズーミング若しくはフォーカシングを行う際、図３に示すＣＰＵ５０からの制御信号により鏡胴駆動モータ３１が回転駆動されると、その駆動力が歯車列３５、３６、３７、３８及び４２を通じて第５歯車４３に伝えられ、第５歯車４３は、直進ガイド２１に取り付けられている駆動歯車４４に駆動力を伝える。駆動歯車４４は大歯車２ｂと歯合し、カム筒２を回転させ、固定胴１とヘリコイド螺合しているカム筒２を光軸方向に移動させる。このとき、鏡胴駆動モータ３１の回転方向により、カム筒２は光軸方向に前進または後退を行う。
【００３６】
カム筒２のリブ２ｅ（図示せず）には図示しないガイド固定板２２、ガイド固定軸２３、止めネジ２４により、直進ガイド２１が一体的に取り付けられているが、直進ガイド２１は、左右の突出部２１ａと固定胴１のガイド溝１ｂにより回転を阻止され、光軸方向の移動のみ行う。同様に直進ガイド２１の腕部２１ｃにより、前群摺動枠３はガイド溝３ｂにおいて回転を阻止されている。また、後群摺動枠６に突設したガイドシャフト１１が前群摺動枠３を貫通しているので、後群摺動枠６も前群摺動枠３と共に回転を阻止されている。従って、カム筒２が回転移動したとき、カム筒２とヘリコイド結合している前群摺動枠３及びカム筒２とカム結合している後群摺動枠６は光軸方向に前進または後退のみを行う。
【００３７】
なお、カム筒２のカム溝２ｄは、メスヘリコイド２ｃのリード角より小さい傾斜角と大きい傾斜角が相互に繰り返されて形成されており、前群摺動枠３がヘリコイドにより直線的な移動を行うのに対し、後群摺動枠６は山形の不連続な移動を行う。これにより、前群レンズ５が直線的な移動を行うのに対し、後群レンズ７は、前群レンズ５より離間する方向への移動と接近する方向への移動を交互に繰り返すので、フォーカシングを行うことができる。カム溝２ｄは、後群レンズ７が図４（ａ）のＲＣに示す移動を行うように形成されている。
【００３８】
また、カム筒２の移動に伴って、第５歯車４３と駆動歯車４４との噛み合い位置は光軸方向に変化するが、第５歯車４３が光軸方向に長い歯を設けた歯車なので、この噛み合いはカム筒２の移動に拘わらず、常に維持される。
【００３９】
図３は、カメラ１００の機能的構成の主要部分を示すブロック図である。図３に示すように、ＣＰＵ５０は、スイッチＳＴ、ＳＷ、Ｓ１、Ｓ２、フォトインタラプタ３４、４１、及び鏡胴駆動モータ３１に接続されている。ＣＰＵ５０は、詳細は後述するが、スイッチＳＴ又はＳＷからの操作信号により鏡胴駆動モータ３１を回転制御することにより前群レンズ５及び後群レンズ７を駆動させてズーミングを行う。また、ＣＰＵ５０は、スイッチＳ１、Ｓ２からの操作信号により鏡胴駆動モータ３１を回転制御することにより前群レンズ５及び後群レンズ７を駆動させてフォーカシングを行う。ＣＰＵ５０は、本発明の請求項に記載のレンズ移動手段、レンズ停止手段、フォーカシング手段及びパルス選択手段としての機能を有している。
【００４０】
スイッチＳＴは、テレ方向へのズーミングを行うためのズーム釦１００ａの押下及び開放の操作によりＯＮ／ＯＦＦが切替えられ、ＣＰＵ５０にその操作信号を出力する。スイッチＳＷは、ワイド方向へのズーミングを行うためのズーム釦１００ｂの押下及び開放の操作によりＯＮ／ＯＦＦが切替えられ、その操作信号をＣＰＵ５０に出力する。スイッチＳ１及びＳ２は、レリーズ釦１００ｃの押下操作によりＯＮ状態となり、その操作信号をＣＰＵ５０に出力する。
【００４１】
フォトインタラプタ３４は、スイッチＳ１及びスイッチＳ２の操作信号を受けて、ＣＰＵ５０により回転制御される鏡胴駆動モータ３１の回転と共に回転するプロペラ３３の回転を検知して、ＣＰＵ５０にパルスを出力する。フォトインタラプタ４１は、スイッチＳＴ又はスイッチＳＷの操作信号を受けて、ＣＰＵ５０により回転制御される鏡胴駆動モータ３１の回転と共に回転するプロペラ４０の回転を検知して、ＣＰＵ５０にパルスを出力する。
鏡胴駆動モータ３１は、ＣＰＵ５０の指示により正転方向或いは逆転方向に回転する。
【００４２】
図４（ａ）はカメラ１００のズーム線図、（ｂ）は、フォトインタラプタ４１から出力されるパルスの周期を（ａ）のズーム線図に対応させて示す図である。以下、図３及び図４を参照して、カメラ１００のＣＰＵ５０の制御によるズーミング及びフォーカシング動作について詳細に説明する。
【００４３】
図４（ａ）の横軸は、焦点距離の変化を示し、Ｗ（ワイド）からＴ（テレ）に向かうにつれて、焦点距離が長くなる。カメラ１００において、焦点距離はＷ、Ｍ１、Ｍ２、Ｍ３、Ｍ４、Ｔの６つのステップに区切られており、ズーム釦１００ａ又はズーム釦１００ｂを操作することにより、前群レンズ５及び後群レンズ７を各ステップの焦点距離において停止可能である。縦軸は、前群レンズ５と後群レンズ７との光軸方向への移動量を示している。ＦＣは前群レンズ５の移動経路、ＲＣは後群レンズ７の移動経路を示している。
【００４４】
まず、ズームレンズ鏡胴１０を繰り出し方向にズーミングを行う際の動作について説明する。Ｗの焦点距離の位置でズーム釦１００ａが押下されることにより、ＣＰＵ５０にＳＴの信号が入力されると、ＣＰＵ５０は、鏡胴駆動モータ３１を正転方向に回転させることで、歯車列３５〜４３を介して前群レンズ５及び後群レンズ７を移動させる。この時、第３歯車３８に設けられたプロペラ４０が、歯車３８の回転と共に回転する。回転したプロペラ４０の羽がフォトインタラプタ４１を通過すると、フォトインタラプタ４１は、パルスを発生させる。ＣＰＵ５０は、このフォトインタラプタ４１から発生されるパルスを２回検知すると、これに対応させて鏡胴駆動モータ３１の回転を停止させ、前群レンズ５及び後群レンズ７をＭ１の焦点距離の位置で停止させる。
【００４５】
ズーム釦１００ａを更に押していくと、上記説明した動作と同様の動作により、Ｍ２〜Ｍ４中のステップのズーム釦１００ａを押し下げた時間に応じた焦点距離の位置で前群レンズ５及び後群レンズ７を停止させる。
【００４６】
Ｍ４の焦点距離の位置でズーム釦１００ａを押下されることにより、ＣＰＵ５０にＳＴの信号が入力されると、ＣＰＵ５０は、鏡胴駆動モータ３１を正転方向に回転させ、フォトインタラプタ４１から発生されるパルスを１回検知すると、これに対応させて鏡胴駆動モータ３１の回転を停止させ、前群レンズ５及び後群レンズ７をＴの焦点距離の位置で停止させる。
【００４７】
次に、ズームレンズ鏡胴１０を繰り込み方向にズーミングを行う際の動作について説明する。Ｔの焦点距離の位置でズーム釦１００ｂが押下され、ＣＰＵ５０にＳＷの信号が入力されると、ＣＰＵ５０は、鏡胴駆動モータ３１を逆転方向に回転させ、歯車列３５〜４３をを介して前群レンズ５及び後群レンズ７を繰り込み方向へ移動させる。この時、第３歯車３８に設けられたプロペラ４０が、第３歯車３８の回転と共に回転する。回転したプロペラ４０の羽がフォトインタラプタ４１を通過すると、フォトインタラプタ４１は、パルスを発生させる。ＣＰＵ５０は、このフォトインタラプタ４１から発生されるパルスを検知すると、これに対応させて鏡胴駆動モータ３１の回転を停止させ、前群レンズ５及び後群レンズ７をＭ４の焦点距離の位置で停止させる。
【００４８】
Ｍ４の焦点距離の位置でズーム釦１００ｂが押下され、ＣＰＵ５０にＳＷの信号が入力されると、ＣＰＵ５０は、鏡胴駆動モータ３１を逆転方向に回転させ、フォトインタラプタ４１から発生されるパルスを２回検知すると、これに対応させて鏡胴駆動モータ３１の回転を停止させ、前群レンズ５及び後群レンズ７をＭ３の焦点距離の位置で停止させる。
【００４９】
ズーム釦１００ｂを更に押していくと、上記説明した動作と同様の動作により、Ｍ２〜Ｗ中のステップのズーム釦１００ｂを押し下げた時間に応じた焦点距離の位置で前群レンズ５及び後群レンズ７を停止させる。
【００５０】
従来、ＣＰＵ５０は、所定間隔に発生するパルスを検知する毎に鏡胴駆動モータ３１を停止させていた。即ち、図７に示す様に、一定間隔でしか焦点距離を設定していなかった。そのため、最長の焦点距離は、フォーカシングのための領域を確保するために、最長にズームレンズ鏡胴１０を繰り出した距離から少なくとも１ステップの間隔に相当する距離分ワイド側に設定せざるを得なかった。
【００５１】
上記説明したカメラ１００によれば、プロペラ４０の羽を１８０度間隔で２枚設け、プロペラ４０の羽が通過する毎にフォトインタラプタ４１がパルスを発生する。本実施の形態では、図４に示すように、ＣＰＵ５０は、Ｗ〜Ｍ４（従来のＴ）間においては、あるステップの焦点距離から２回パルスを検知すると鏡胴駆動モータ３１を停止させることで前群レンズ５及び後群レンズ７を次のステップの焦点距離に停止させるよう制御し、Ｍ４（従来のＴ）の焦点距離の位置からズーム釦１００ａが押下された場合には、もう１回パルスを検知すると、これに対応付けて鏡胴駆動モータ３１を停止させることで前群レンズ５及び後群レンズ７をＴの焦点距離に停止させるよう制御する。言いかえれば、フォトインタラプタ４１からのパルスの発生間隔がＴ秒とすると、ＣＰＵ５０は、Ｗ〜Ｍ４間においては、２×Ｔ秒の間隔で、鏡胴駆動モータ３１を停止させて前群レンズ５及び後群レンズ７を停止させるよう制御し、Ｍ４の焦点距離からズーム釦１００ｂが押下されると、前群レンズ５及び後群レンズ７をＴ秒移動させた後、停止させるように制御する。これにより、従来の最長の焦点距離であるＴの位置よりも、更にＴ秒分繰り出し方向に最長の焦点距離Ｔを設定しても、Ｔにおけるフォーカシングの領域を確保することが可能となるので、最長の焦点距離を延長することができるようになる。
【００５２】
次に、フォーカシングの動作について説明する。カメラ１００のレリーズ釦１００ｃが押下されることにより、スイッチＳ１及びＳ２がＯＮされると、図示していないオートフォーカス回路により発生する測距情報がＣＰＵ５０に入力される。ＣＰＵ５０は、前記測距情報とズームポジション（Ｗ〜Ｔの停止位置）に応じて所定のパルス数を設定する。パルス数設定後、ＣＰＵ５０は、鏡胴駆動モータ３１を正転方向に回転させると、歯車列３５〜４４を介して前群レンズ５及び後群レンズ７を駆動すると共にプロペラ３３も回転し、フォトインタラプタ３４からＣＰＵ５０にパルスが入力される。ＣＰＵ５０は、入力されたパルスのカウントを行う。パルスのカウントが前記所定パルス数に達すると、ＣＰＵ５０は、これに対応させて鏡胴駆動モータ３１を停止させ、前群レンズ５及び後群レンズ７をフォーカシングの位置で停止させる。その後、ＣＰＵ５０は、図示していないシャッターを駆動し、フィルムへの露光を行う。露光完了後、鏡胴駆動モータ３１を逆転方向に回転させ、所定パルス数をカウントして元のズームポジションに復帰した所で鏡胴駆動モータ３１を停止させる。
【００５３】
なお、フォーカシング時の鏡胴駆動モータ３１の回転方向は、正転の一方向としているが、逆方向の一方向に回転することとしてもよい。また、至近距離から無限遠までフォーカシングが行えるようにしているが、必ずしも無限遠までフォーカシングしなくてもよく、有限距離内でフォーカシングを行えるようなカム形状又はレンズ移動制御を行っても良い。
【００５４】
以上説明した様に、カメラ１００によれば、プロペラ４０に、１８０度間隔でもう１枚の羽を設け、プロペラ４０の羽を２枚構成としている。フォトインタラプタ４１は、プロペラ４０の羽の通過を検知する毎にパルスを発生させる。Ｗ〜Ｍ３の焦点距離の位置でズーム釦１００ａが押下されると、ＣＰＵ５０は、鏡胴駆動モータ３１を正転方向に回転させ、フォトインタラプタ４１からのパルスを２回検知すると、鏡胴駆動モータ３１を停止させる。Ｍ４（従来のＴ）の焦点距離の位置でズーム釦１００ａが押下されると、ＣＰＵ５０は、鏡胴駆動モータ３１を正転方向に回転させ、フォトインタラプタ４１からのパルスを１回検知すると、鏡胴駆動モータ３１を停止させる。また、Ｍ１〜Ｍ４（従来のＴ）の焦点距離の位置でズーム釦１００ｂが押下されると、ＣＰＵ５０は、鏡胴駆動モータ３１を逆転方向に回転させ、フォトインタラプタ４１からのパルスを２回検知すると、鏡胴駆動モータ３１を停止させる。Ｔの焦点距離の位置でズーム釦１００ｂが押下されると、ＣＰＵ５０は、鏡胴駆動モータ３１を逆転方向に回転させ、フォトインタラプタ４１からのパルスを１回検知すると、鏡胴駆動モータ３１を停止させる。
【００５５】
従って、従来の最長の焦点距離よりも更にテレ側に焦点距離を設けてもズーミングのための領域を確保することができる。その結果、最長の焦点距離の設定を従来に比べて延長させることができる。
【００５６】
なお、上記実施の形態における記述内容は、本発明に係るカメラ１００の好適な一例であり、これに限定されるものではない。
例えば、上記実施の形態において、焦点距離が６のステップに区切られているが、これに限定されない。
また、レンズ群の構成についても、前群レンズ５と後群レンズ７の２群のレンズを有する構成としているが、これに限定されず、例えば、３群のレンズを有する構成としてもよい。
【００５７】
また、上記実施の形態においては、ＣＰＵ５０は、焦点距離がＭ４の時にズーム釦１００ａが押下された場合、或いは焦点距離がＴの時にズーム釦１００ｂが押下された場合に、フォトインタラプタ４１からのパルスが１回検知されると鏡胴駆動モータ３１を停止させ、それ以外の焦点距離においては、パルスが２回検知されたら鏡胴駆動モータ３１を停止させる制御を行っているが、これに限定されない。カメラ１００においては、フォトインタラプタ４１からのパルスの発生周期が従来の１／２になるため、従来と同径のカム筒の場合、従来より２倍の焦点距離が設定可能となる。この焦点距離が設定可能な位置が対応しているパルスのなかから、ＣＰＵ５０が、鏡胴駆動モータ３１を停止させる制御のために利用するパルスを任意に選択することで、焦点距離を一定間隔以外の位置にも設定することが可能となる。ＣＰＵ５０が選択するパルスを、カメラによって変えておくことで、焦点距離設定の異なる様々なバリエーションのカメラを提供することが可能となる。
【００５８】
また、本実施の形態においては、プロペラ４０に設けられた羽の数は、１８０度間隔で２枚設けられていることとしているが、これに限定されない。羽の数を増やすことで、フォトインタラプタ４１からのパルスの発生間隔が短くなるので、設定可能な焦点距離の数が増加する。例えば、プロペラ４０に羽の数をＭ枚設けると、従来の焦点距離の設定間隔の１／Ｍ間隔毎に焦点距離の設定が可能となる。即ち、設定可能な焦点距離の位置がＭ倍となる。言いかえれば、焦点距離の設定間隔は、フォトインタラプタ４１によるパルスの発生間隔がＴ秒であるとすると、Ｎの値を変化させることで、Ｎ×Ｔ秒の間隔で前群レンズ５及び後群レンズ７を停止させることができる。
【００５９】
従って、焦点距離設定の自由度は飛躍的に増加する。製造するカメラの焦点距離に対応して、ＣＰＵ５０に、何回目に発生したパルス（或いは、何回毎に発生したパルス）に基づいて鏡胴駆動モータ３１の回転を停止するかを予め組み込んでおくことで、焦点距離設定の異なった様々なバリエーションのカメラを提供することができる。また、この焦点距離設定の自由度を利用して、ワイド側において焦点距離の間隔を狭めるようにすれば、各ズームステップ毎の見かけ上の変倍を略均一にすることができる。
【００６０】
その他、カメラ１００の細部構成、及び詳細動作に関しても、本発明の趣旨を逸脱することのない範囲で適宜変更可能である。
【００６１】
〔第２の実施の形態〕
以下、本発明に係る第２の実施の形態について詳細に説明する。
図５は、本発明に係るカメラ２００を概略して示す外観図であり、ズーム釦２００ａ、ズーム釦２００ｂ、レリーズ釦２００ｃ、及びズームレンズ鏡胴２０を備えて構成されている。
なお、カメラ２００の機能的構成の主要部分は、カメラ１００と同様あるので、図３のブロック図を参照する。また、ズームレンズ鏡胴２０は、第１の実施の形態におけるズームレンズ鏡胴１０のプロペラ４０の羽を１枚とした構成である。その他は、ズームレンズ鏡胴１０と同様の構成であるので、図１の分解斜視図及び図３のブロック図を参照し、説明を省略する。
【００６２】
図６（ａ）はカメラ２００のズーム線図、（ｂ）は、フォトインタラプタ４１のパルスの周期を（ａ）のズーム線図に対応させて示す図である。以下、図３及び図６を参照して、カメラ２００のズーミング及びフォーカシング動作について詳細に説明する。
【００６３】
図６（ａ）の横軸は、焦点距離の変化を示し、Ｗ（ワイド）からＴ（テレ）に向かうにつれて、焦点距離が長くなる。カメラ２００において、焦点距離はＷ、Ｍ１、Ｍ２、Ｍ３、Ｍ４、Ｔの６つのステップに区切られており、各ステップの焦点距離において停止可能である。縦軸は、前群レンズ５と後群レンズ７との光軸方向への移動量を示している。ＦＣは前群レンズ５の移動経路、ＲＣは後群レンズ７の移動経路を示している。
【００６４】
まず、ズームレンズ鏡胴２０を繰り出し方向にズーミングを行う際の動作について説明する。Ｗの焦点距離の位置でズーム釦２００ａが押下され、ＣＰＵ５０にＳＴの信号が入力されると、ＣＰＵ５０は、鏡胴駆動モータ３１を正転方向に回転させることで、歯車列３５〜４３を介して前群レンズ５及び後群レンズ７を移動させる。この時、第３歯車３８に設けられたプロペラ４０が、第３歯車３８の回転と共に回転する。回転したプロペラ４０の羽がフォトインタラプタ４１を通過すると、フォトインタラプタ４１は、パルスを発生させる。ＣＰＵ５０は、フォトインタラプタ４１からのパルスを検知すると、鏡胴駆動モータ３１の回転を停止させ、前群レンズ５及び後群レンズ７をＭ１の焦点距離の位置で停止させる。
【００６５】
ズーム釦２００ａを更に押していくと、上記説明した動作と同様の動作により、Ｍ２〜Ｔ中の次のステップの焦点距離の位置で前群レンズ５及び後群レンズ７を停止させる。
【００６６】
次に、カメラ２００を繰り込み方向にズーミングを行う際の動作について説明する。Ｔの焦点距離の位置でズーム釦２００ｂが押下され、ＣＰＵ５０にＳＷの信号が入力されると、ＣＰＵ５０は、鏡胴駆動モータ３１を逆転方向に回転させ、歯車列３５〜４３をを介して前群レンズ５及び後群レンズ７を繰り込み方向へ移動させる。この時、第３歯車３８に設けられたプロペラ４０が、第３歯車３８の回転と共に回転する。回転したプロペラ４０の羽がフォトインタラプタ４１を通過すると、フォトインタラプタ４１は、パルスを発生させる。ＣＰＵ５０は、フォトインタラプタ４１からのパルスを検知すると、鏡胴駆動モータ３１の回転を停止させ、前群レンズ５及び後群レンズ７をＭ４の焦点距離の位置で停止させる。
【００６７】
ズーム釦２００ｂを更に押していくと、上記説明した動作と同様の動作により、Ｍ２〜Ｗ中の次のステップの焦点距離の位置で前群レンズ５及び後群レンズ７を停止させる。
【００６８】
上記説明したズーミング動作においては、図６（ｂ）に示す様に、パルスの発生と各ステップの焦点距離の位置は対応している。
【００６９】
次に、フォーカシングの動作について説明する。レリーズ釦２００ｃが押下されることにより、スイッチＳ１及びＳ２がＯＮされると、図示していないオートフォーカス回路により発生する測距情報がＣＰＵ５０に入力される。ＣＰＵ５０は、前記測距情報とズームポジション（Ｗ〜Ｔの停止位置）に応じて所定のパルス数を設定する。パルス数設定後、ＣＰＵ５０は、ズームポジションがＷ〜Ｍ４のときは、鏡胴駆動モータ３１を正転方向に回転させ、Ｔのときは、鏡胴駆動モータ３１を逆転方向に回転させる。鏡胴駆動モータ３１の回転により、歯車列３５〜４４を介して前群レンズ５及び後群レンズ７を駆動すると共にプロペラ３３も回転し、フォトインタラプタ３４からＣＰＵ５０にパルスが入力され、パルスカウントを行う。パルスカウントが前記所定パルス数に達すると、ＣＰＵ１７は、鏡胴駆動モータ３１を停止させ、前群レンズ５及び後群レンズ７をフォーカシングの位置で停止させる。その後、ＣＰＵ５０は、図示していないシャッターを駆動し、フィルムへの露光を行う。露光完了後、鏡胴駆動モータ３１を逆転方向に回転させ、所定パルス数をカウントして元のズームポジションに復帰した所で鏡胴駆動モータ３１を停止させる。
【００７０】
以上説明した様に、カメラ２００によれば、焦点距離が最もテレ側であるＴのときには、フォーカシングを行う際に、鏡胴駆動モータ３１を逆転方向に回転させ、ズームレンズ鏡胴２０を繰り込み方向に移動させることによってフォーカシングを行う。従って、ズームレンズ鏡胴２０を最大限に繰り出した位置をテレ側の焦点距離に設定しても、フォーカシングを行うことができるので、フォーカシングのためにテレ側に設けていた領域を確保する必要がなくなり、テレ側の焦点距離を延長させることができる。
【００７１】
なお、上記実施の形態における記述内容は、本発明に係るカメラ２００の好適な一例であり、これに限定されるものではない。
例えば、上記実施の形態において、焦点距離が６のステップに区切られているが、これに限定されない。
また、前群レンズ５と後群レンズ７の２群のレンズを有する構成としているが、これに限定されず、例えば、３群のレンズを有する構成としてもよい。
【００７２】
また、本実施の形態のズームレンズ鏡胴２０の機能と、第１の実施の形態におけるズームレンズ鏡胴１０の機能を併せ持つようにしてもよい。即ち、プロペラ４０の羽の枚数を増やしてフォトインタラプタ４１から発生されるパルスのを増加させることにより、設定可能な焦点距離の位置を増加させ、さらに最もテレ側においてフォーカシングのための鏡胴駆動モータ３１の回転を逆転方向に回転させることで、より一層焦点距離設定に自由度を持たせることができる。
【００７３】
また、第１及び第２の実施の形態におけるカメラ１００、２００は、銀塩カメラであっても、デジタルカメラであってもよい。
【００７４】
その他、カメラ２００の細部構成、及び詳細動作に関しても、本発明の趣旨を逸脱することのない範囲で適宜変更可能である。
【００７５】
【発明の効果】
請求項１記載の発明によれば、ズーム線上に複数のレンズ群を移動させ、レンズ群を停止させるためのパルスを検知することによりレンズ群を停止させて焦点距離の切替え（ズーミング）を行い、レンズ群が停止した位置からレンズ群を光軸方向に移動させてフォーカシングを行う、ステップズーム方式の撮影装置において、ワイドからテレの焦点距離間において、レンズ群を停止させる位置の間隔が他と異なるところを少なくとも１箇所は設けるように、レンズ群を停止させるためのパルスを選択する。従って、焦点距離を一定間隔以外の位置にも設定できるようになり、焦点距離設定に自由度をもたせることができる。その結果、大きなメカ的変更を行わずに、同じズームレンズ鏡胴部品を用いて、各種撮影装置の焦点距離設定に対応するズームレンズ鏡胴を製造することができ、撮影装置の製造工程の簡素化やコストの削減につながる。
【００７６】
請求項２記載の発明によれば、ワイドからテレの焦点距離間において、レンズ群を停止させるために選択するパルスの間隔が、Ｔ秒と、Ｎ×Ｔ秒の少なくとも２種類になるように、レンズ群を停止させるためのパルスを選択する。従って、焦点距離設定に自由度をもたせることができる。
【００７７】
請求項３記載の発明によれば、ワイドからテレの焦点距離間において、レンズ群を停止させる位置の間隔が他と異なるところをテレ側に設けるようにレンズ群を停止させるためのパルスを選択する。従って、テレ側の焦点距離設定に自由度をもたせることができる。
【００７８】
請求項４記載の発明によれば、ワイドからテレの焦点距離間において、レンズ群を停止させる位置の間隔が他と異なるところを最もテレ側に設けるようにレンズ群を停止させるためのパルスを選択する。従って、従来の最もテレ側の停止位置から、更にテレ側の位置にレンズ群を停止させることが、最もテレ側において他の停止位置の間隔よりも短い間隔でレンズ群を停止させることにより可能となると同時に、フォーカシングの領域も確保することができるので、同じズームレンズ鏡胴を用いた場合に、従来より最長の焦点距離を延長することができるようになる。
【００７９】
請求項５記載の発明によれば、ワイドからテレの焦点距離間において、レンズ群を停止させる位置の間隔が他と異なるところをワイド側に設けるようにレンズ群を停止させるためのパルスを選択する。従って、例えば、ワイド側において、他の停止位置の間隔よりも短い間隔でレンズ群を停止させることにより、各ズームステップ毎の見かけ上の変倍を略均一にすることができる。
【００８０】
請求項６記載の発明によれば、ズーム線上に複数のレンズ群を移動させ、レンズ群を停止させるためのパルスを検知することによりレンズ群を停止させて焦点距離の切替え（ズーミング）を行い、レンズ群が停止した位置からレンズ群を光軸方向に移動させてフォーカシングを行う、ステップズーム方式の撮影装置において、ワイドからテレの焦点距離間において、レンズ群を停止させるために選択するパルスの間隔が、Ｔ秒と、Ｎ×Ｔ秒の少なくとも２種類になるように、パルスを選択する。従って、焦点距離設定に自由度をもたせることができるので、撮影装置の設計の自由度が増大し、同じズームレンズ鏡胴を用いて、様々なバリエーションの撮影装置を提供できるようになる。
【００８１】
請求項７記載の発明によれば、ズーム線上に複数のレンズ群を移動させてズーミングを行い、パルスの発生周期に対応づけて前記レンズ群を停止させる、ズームフォーカス駆動一体型の、ステップズーム方式の撮影装置におけるフォーカシングにおいて、少なくとも１つの焦点距離においてレンズ群を他の焦点距離におけるフォーカシング時と光軸方向逆向きに移動させてフォーカシングを行う。従って、撮影距離によっては、フォーカシングの時間を短縮することや、フォーカシングによる倍率の変動を小さくすることができる。
【００８２】
請求項８記載の発明によれば、最もテレ側の焦点距離において、前記レンズ群を、他の焦点距離におけるフォーカシング時と光軸方向を逆向きに移動させてフォーカシングを行う。従って、最もテレ側におけるフォーカシングのための領域を確保する必要がなくなり、最長の焦点距離を延長することができる。
【図面の簡単な説明】
【図１】本発明に係るカメラ１００を概略して示す外観図である。
【図２】図１のズームレンズ鏡胴１０の分解斜視図である。
【図３】図１のカメラ１００の機能的構成の主要部分を示すブロック図である。
【図４】図１のカメラ１００のズーム線図及びフォトインタラプタ４１のパルス発生周期を示す図である。
【図５】本発明に係るカメラ２００を概略して示す外観図である。
【図６】図５のカメラ２００のズーム線図及びフォトインタラプタ４１のパルス発生周期を示す図である。
【図７】従来技術におけるズーム線図及び焦点距離の位置を検知するためのパルス発生周期を示す図である。
【符号の説明】
１００　　カメラ
１００ａ　　ズーム釦
１００ｂ　　ズーム釦
１００ｃ　　レリーズ釦
２００　　カメラ
２００ａ　　ズーム釦
２００ｂ　　ズーム釦
２００ｃ　　レリーズ釦
１０　　ズームレンズ鏡胴
２０　　ズームレンズ鏡胴
１　　固定胴
２　　カム筒
３　　前群摺動枠
４　　前群鏡枠
５　　前群レンズ
６　　後群摺動枠
７　　後群レンズ
８　　後群カムピン
２１　　直進ガイド
３１　　鏡胴駆動モータ
３４、４１　　フォトインタラプタ
３３、４０　　プロペラ
５０　　ＣＰＵ
【図１】
2004029555.tif 000003
【図２】
2004029555.tif 000004
【図３】
2004029555.tif 000005
【図４】
2004029555.tif 000006
【図５】
2004029555.tif 000007
【図６】
2004029555.tif 000008
【図７】
2004029555.tif 000009